(57)【特許請求の範囲】
【請求項１】
水底の盛土造成域の周縁部に、ゴム、合成ゴム等の柔軟性材料をもって形成され、１若しくは複数の中空筒状をした注水部を板状材と一体に有し、該注水部に水を充填することによって拡開し、保形性が発揮される土留め用型枠材を、互いに平行配置となるように錘により水底に固定して、該造成域の内外を仕切る配置に堤状連続マウンドを形成するための土留め装置を設置し、前記両土留め用型枠材間に、浚渫土などの流動性土砂に固化材を添加した流動性固化処理土を充填して一段目堤状マウンドを形成し、前記流動性固化処理土の所定強度発現後、前記土留め装置を除去し、該一段目堤状マウンドに仕切られた盛土造成域内に前記流動性固化処理土を注入して一段目盛土を造成し、該一段目盛土の上面の縁部に前記一段目の堤状マウンドと同様にして二段目堤状マウンドを形成し、該二段目堤状マウンドで仕切られた内側に前記流動性固化処理土を注入して二段目盛土を形成し、前記二段目と同様に順次各段目の盛り土を造成し、該各段目の盛土を順次積み上げて必要な高さの盛土を造成することを特徴としてなる流動性固化処理土による水底盛土工法。
【発明の詳細な説明】
【０００１】
【発明の属する技術分野】
本発明は、浚渫土砂などの流動性を有する土砂にセメントなどの固化材を添加した流動性固化処理土を水底に積み上げて、例えば、埋め立て地、水底マウンド若しくは既存のマウンド法面の腹付けなどを造成するための流動性固化処理土による水底盛土工法に関する。
【０００２】
【従来の技術】
従来、航路確保のための浚渫によって生じた浚渫土砂の処理には、築堤によって囲まれた水域に、浚渫土を流し込んで沈殿させ、これによって埋め立て地を造成する方法が一般的であった。しかし、浚渫土砂による埋め立て地は地盤が極めて軟弱なため、有効利用可能な状態になるまでに長期間を要するという問題があった。
【０００３】
近年においては、この浚渫土砂にセメント系固化材を添加することによって固化処理し、埋め立て地を囲む築堤に利用したり、埋め立て地そのものを造成する方法が開発されつつある。
【０００４】
【発明が解決しようとする課題】
このような従来の浚渫土砂に固化材を添加した流動性固化処理土によるマウンドや埋め立て地の造成は、固化処理土の流動性が高いため、水底での安息角が小さく、造成する盛土の法面の傾斜が緩いものとなり、急傾斜の法面を形成するには、大掛かりな土留めが必要であった。
【０００５】
本発明は、従来のような大掛かりな土留めを要することなく、急傾斜の法面を形成することができる流動性固化処理土による水底盛土工法の提供を目的としてなされたものである。
【０００６】
【課題を解決するための手段】
上述の如き従来の問題を解決し、所期の目的を達成するための本発明の特徴は、水底の盛土造成域の周縁部に、ゴム、合成ゴム等の柔軟性材料をもって形成され、１若しくは複数の中空筒状をした注水部を板状材と一体に有し、該注水部に水を充填することによって拡開し、保形性が発揮される土留め用型枠材を、互いに平行配置となるように錘により水底に固定して、該造成域の内外を仕切る配置に堤状連続マウンドを形成するための土留め装置を設置し、前記両土留め用型枠材間に、浚渫土などの流動性土砂に固化材を添加した流動性固化処理土を充填して一段目堤状マウンドを形成し、前記流動性固化処理土の所定強度発現後、前記土留め装置を除去し、該一段目堤状マウンドに仕切られた盛土造成域内に前記流動性固化処理土を注入して一段目盛土を造成し、該一段目盛土の上面の縁部に前記一段目の堤状マウンドと同様にして二段目堤状マウンドを形成し、該二段目堤状マウンドで仕切られた内側に前記流動性固化処理土を注入して二段目盛土を形成し、前記二段目と同様に順次各段目の盛り土を造成し、該各段目の盛土を順次積み上げて必要な高さの盛土を造成する流動性固化処理土による水底盛土工法にある。
【０００７】
【発明の実施の形態】
次に本発明の実施の形態を図面について説明する。
【０００８】
図１〜図４は本発明による水底マウンドを形成する例を示しており、先ず図１（Ａ）に示すように、水底１の盛土の両縁部となる位置に、一段目堤状マウンド２ａ，２ａを造成する。
【０００９】
各マウンド２ａの造成のために土留め装置３，３を設置する。土留め装置３は、互いに平行配置に土留め用型枠材４、４を水底に固定する。土留め用型枠材４には、図２、図３に示すようにゴム、合成ゴムなどの柔軟性材料をもって成形された板状材５の長手方向にバッグ状の注水部６を一体に有するものを使用し、水底に沈めて移動を阻止させるために、下部に鋼製のチェーンからなる錘７を固定しておく。
【００１０】
この型枠材４の水底への設置に際しては、注水部６に注水していない状態で水底に沈め、設置位置近くでポンプを使用して注水部６に注水することによって、図４に示すように所定の形状に拡開させ、これを錘７により水底に固定させる。
【００１１】
流動性固化処理土は、水中では水との比重差は極めて小さいため、注水部６の下部と水底の隙間からの漏出はほとんどないが、流出が止まらない場合には、流動性固化処理土の充填を一時中断して流出しなくなってから再充填を行うよう実施する。
【００１２】
このようにして互いに平行配置に型枠材４，４を設置することによって土留め装置３となし、その土留め装置内、即ち型枠材４，４間に、予め浚渫土砂に固化材を添加した流動性固化処理土Ａを、水面上よりトレミー管を使用した打設装置８を使用して打設する。
【００１３】
このようにして両土留め装置３，３内に打設した固化処理土Ａが固化するのを待って各型枠材４を除去する。除去に際しては、注水部６内の水を抜き取ることによって型枠材４外形が縮小し、これを引き剥がすことによって脱型され、固化した処理土Ａによって連続した堤状マウンド２ａ，２ａが形成される。
【００１４】
次いで、図１（Ｂ）に示すようにこの両堤状マウンド２ａ，２ａ間に前述した打設装置８を使用して流動性固化処理土を打設し、間隔を埋めて一段目盛土１０ａを造成する。
【００１５】
一段目盛土１０ａの固化後、図１（Ｃ）が示すようにその上面の周辺部稍内側に前述と同様にして、型枠材４，４をそれぞれ使用した土留め装置３，３を組み立てて設置し、その内部に流動性固化処理土を打設し、脱型して二段目堤状マウンド２ｂ，２ｂを造成する。
【００１６】
次いで図１（Ｄ）に示すように前述の一段目盛土と同様にして両マウンド２ｂ，２ｂ間に流動性固化処理土を打設し、二段目盛土１０ｂを造成する。
【００１７】
二段目と同様にして三段目、四段目と順次盛土を積み上げて造成し、必要な高さの盛土を造成する。
【００１８】
尚、二段目からの各堤状マウンドの造成は、最終的に造成される盛土の必要な法面傾斜になるように、必要な水平長さだけ順次内側にずらせて設置する。
【００１９】
次に本発明を、捨て石マウンド等の水底構造物の吸出し防止用の腹付けに実施する場合について説明する。
【００２０】
この実施形態では図５（Ａ）に示すように、水底構造物１１の際下縁部から腹付け厚さに応じた間隔を隔てて水底に前述と同様にして、型枠材３を使用した土留め装置４を組み立てて設置し、その内部に流動性固化処理土Ａを打設し、脱型して一本の一段目堤状マウンド２ａを造成する。
【００２１】
次いで図５（Ｂ）に示すように水底構造物１１とマウンド２ａとの間に流動性固化処理土を打設し、一段目盛土１０ａを造成する。
【００２２】
一段目盛土１０ａの固化後、図５（Ｃ）に示すようにその上面の縁部稍内側に、水底構造物１１法面傾斜に合わせた傾斜となるように位置をずらせて二段目堤状マウンド２ｂを造成する。
【００２３】
次いで、図５（Ｄ）に示すようにマウンドと２ｂと水底構造物１１との間に流動性固化処理土を打設し、二段目盛土１０ｂを造成する。
【００２４】
同様にして三段目、四段目と順次盛土を積み上げて造成し、必要な高さの盛土を造成し、腹付けを完成させる。
【００２５】
【発明の効果】
上述のように、本発明に係る工法は、水底の盛土造成域の周縁部に、ゴム、合成ゴム等の柔軟性材料をもって形成され、１若しくは複数の中空筒状をした注水部を板状材と一体に有し、該注水部に水を充填することによって拡開し、保形性が発揮される土留め用型枠材を、互いに平行配置となるように錘により水底に固定して、該造成域の内外を仕切る配置に堤状連続マウンドを形成するための土留め装置を設置し、前記両土留め用型枠材間に、浚渫土などの流動性土砂に固化材を添加した流動性固化処理土を充填して一段目堤状マウンドを形成し、前記流動性固化処理土の所定強度発現後、前記土留め装置を除去し、該一段目堤状マウンドに仕切られた盛土造成域内に前記流動性固化処理土を注入して一段目盛土を造成し、該一段目盛土の上面の縁部に前記一段目の堤状マウンドと同様にして二段目堤状マウンドを形成し、該二段目堤状マウンドで仕切られた内側に前記流動性固化処理土を注入して二段目盛土を形成し、前記二段目と同様に順次各段目の盛り土を造成し、該各段目の盛土を順次積み上げて必要な高さの盛土を造成することにより、各段毎の盛土は、予め固化させた堤状マウンドによって周縁部が形成されるため、法面を必要な急傾斜に造成することができ、しかも、盛土造成域に充填される流動性固化処理土の流動性が高いものであっても、予め造成された堤状のマウンドによって水平方向の圧力を支えるため、安定性が高く、安全に作業できる。
【００２６】
また、堤状マウンドの造成に際し、その土留め装置に、ゴム、合成ゴム等の柔軟性材料をもって形成され、１若しくは複数の中空筒状をした注水部を一体に有し、該注水部に水を充填することによって拡開し、保形性が発揮される土留め用型枠材を使用することにより、水底に搬入した土留め用型枠の展開が注水によってなされることとなり、該土留め装置の水底での設置作業が容易となる。
【図面の簡単な説明】
【図１】（Ａ）〜（Ｄ）は本発明方法の一例の盛土造成工程を示す断面図である。
【図２】本発明方法に使用する型枠材の一例の正面図である。
【図３】同上の縦断面図である。
【図４】同上の使用時の状態を示す断面図である。
【図５】（Ａ）〜（Ｄ）は本発明方法の他の例の盛土造成工程を示す断面図である。
【符号の説明】
Ａ  流動性固化処理土
１  水底
２ａ，２ｂ  堤状マウンド
３  土留め装置
４  土留め用型枠材
５  板状材
６  注水部
７  錘
８  打設装置
１０ａ，１０ｂ  盛土
１１  水底構造物
【図１】
0003617025.tif 000002
【図２】
0003617025.tif 000003
【図３】
0003617025.tif 000004
【図４】
0003617025.tif 000005
【図５】
0003617025.tif 000006